Podtech/llm-jp-corpus-v4-ja_patent huggingface dataset:
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
食材を収容するとともに該食材を加熱可能な容器の胴体部の開口部を閉塞する蓋体であって、
前記蓋体の外周輪郭形状を定めるとともに、前記容器の前記開口部を形成する前記容器の縁部と嵌合する周縁領域と、
該周縁領域により囲まれる領域内部において、隆起する一の領域を備え、
前記一の領域は、前記容器内の流体を排出可能な穴部と、該穴部を閉塞可能な突起部を備えるフラップ部を備え、
該フラップ部は、前記一の領域に一体的に接続する基端部を備えるとともに、該基端部を軸に回動し、
前記フラップ部の先端部は、前記周縁領域に到達しないことを特徴とする蓋体。
【請求項２】
食材を収容するとともに該食材を加熱可能な容器の胴体部の開口部を閉塞する蓋体であって、
前記蓋体の外周輪郭形状を定めるとともに、前記容器の前記開口部を形成する前記容器の縁部と嵌合する周縁領域と、
該周縁領域により囲まれる領域内部において、隆起する一の領域を備え、
前記一の領域は、前記容器内の流体を排出可能な穴部と、該穴部を閉塞可能な突起部を備えるフラップ部を備え、
該フラップ部は、前記一の領域に一体的に接続する基端部を備えるとともに、該基端部を軸に回動し、
前記フラップ部の先端部は、前記周縁領域と前記一の領域の間の領域に位置することを特徴とする蓋体。
【請求項３】
前記周縁領域が隆起しており、この周縁領域の隆起は、前記一の領域の隆起よりも高いことを特徴とする請求項１又は２記載の蓋体。
【請求項４】
前記一の領域は、前記周縁領域に隣接して配されることを特徴とする請求項１乃至３いずれかに記載の蓋体。
【請求項５】
前記蓋体の周縁領域が、前記蓋体の外周輪郭形状を多角形状に形成し、
前記穴部が、前記蓋体の角隅部近傍に位置することを特徴とする請求項４記載の蓋体。
【請求項６】
前記フラップ部の前記基端部が、前記フラップ部の前記先端部よりも前記蓋体の中心位置から近い位置に配されることを特徴とする請求項１乃至５いずれかに記載の蓋体。
【請求項７】
前記一の領域が、前記フラップ部の少なくとも一部を収容する凹領域を備えることを特徴とする請求項１乃至６いずれかに記載の蓋体。
【請求項８】
前記フラップ部が、前記凹領域に収容される第１位置にあるとき、前記フラップ部の前記突起部が前記穴部を閉塞することを特徴とする請求項７記載の蓋体。
【請求項９】
前記フラップ部の前記基端部が、前記突起部が形成される第１の面に弧状に湾曲した断面を有する凹溝と前記第１の面とは反対側の第２の面に平坦な面を備え、前記フラップ部の回動が、前記凹領域に対して直立した第２位置で制限されることを特徴とする請求項７又は８記載の蓋体。
【請求項１０】
前記フラップ部が、前記第１位置にあるとき、前記フラップ部の上面が前記一の領域の上面から突出しないことを特徴とする請求項８記載の蓋体。
【請求項１１】
前記蓋体が、少なくとも１４０℃以下の温度に曝されても変形しないことを特徴とする請求項１乃至１０いずれかに記載の蓋体。
【請求項１２】
前記蓋体が、高結晶ポリプロピレンから成型されることを特徴とする請求項１乃至１１いずれかに記載の蓋体。
【請求項１３】
前記穴部が複数個設けられることを特徴とする請求項１乃至１２いずれかに記載の蓋体。
【請求項１４】
前記蓋体外周縁から外方に突出する摘み部を更に備えることを特徴とする請求項１乃至１３いずれかに記載の蓋体。
【請求項１５】
食材を収容する一端有底筒状の容器胴体部と、該容器胴体部の開口部を閉塞する蓋体からなるとともに前記食材を加熱可能な容器であって、
前記蓋体が、該蓋体の外周輪郭形状を定めるとともに、前記容器の前記開口部を形成する前記容器の縁部と嵌合する周縁領域と、
該周縁領域により囲まれる領域内部において、隆起する一の領域を備え、
前記一の領域は、前記容器内の流体を排出可能な穴部と、該穴部を閉塞可能な突起部を備えるフラップ部を備え、
該フラップ部は、前記一の領域に一体的に接続する基端部を備えるとともに、該基端部を軸に回動し、
前記フラップ部の先端部は、前記周縁領域に到達しないことを特徴とする容器。
【請求項１６】
食材を収容する一端有底筒状の容器胴体部と、該容器胴体部の開口部を閉塞する蓋体からなるとともに前記食材を加熱可能な容器であって、
前記蓋体が、該蓋体の外周輪郭形状を定めるとともに、前記容器の前記開口部を形成する前記容器の縁部と嵌合する周縁領域と、
該周縁領域により囲まれる領域内部において、隆起する一の領域を備え、
前記一の領域は、前記容器内の流体を排出可能な穴部と、該穴部を閉塞可能な突起部を備えるフラップ部を備え、
該フラップ部は、前記一の領域に一体的に接続する基端部を備えるとともに、該基端部を軸に回動し、
前記フラップ部の先端部は、前記周縁領域と前記一の領域の間の領域に位置することを特徴とする容器。
【手続補正書】
【提出日】平成21年9月8日(2009.9.8)
【手続補正１】
【補正対象書類名】明細書
【補正対象項目名】特許請求の範囲
【補正方法】変更
【補正の内容】
【特許請求の範囲】
【請求項１】
遊技盤面上に発射された遊技球が特定の入球口に入球又は特定の通過口を通過するタイミングに基づいて抽出される乱数値に起因して遊技者に有利なゲーム内容とするか否かを決定する当否決定手段と前記当否決定手段による決定毎に、遊技者に有利なゲーム内容に移行するか否かを示す当否画像を表示する当否画像表示手段と、
を含む遊技機であって、
前記当否決定手段を有する遊技制御基板と、
前記当否画像表示手段に表示される当否画像の表示制御を行う図柄制御基板と、
前記遊技制御基板に、
前記当否決定手段により外れと決定された場合、前記タイミングに起因して前記当否画像の変動開始から静止させるまでの変動時間を複数の変動時間の中から決定する変動時間決定手段と、
該決定された変動時間を送信する送信手段と、
前記図柄制御基板に、
前記受信した変動時間に従って一部に広告画像を有する前記当否画像を変動表示し、前記変動時間経過後に前記外れを示す当否画像を静止表示する広告画像表示制御手段と、
を備えたことを特徴とする弾球遊技機。
【請求項２】
前記図柄制御基板に、
広告画像データを含む画像データを記憶する画像記憶手段と、
該画像記憶手段から前記画像データを取得する画像取得手段と、
該画像取得手段により取得されたデータに基づいて、前記広告画像を含む前記当否画像を画面上に表示する前記広告画像表示制御手段と、を備えたことを特徴とする請求項１に記載の弾球遊技機。
【請求項３】
前記広告画像を表示するか否かを前記図柄制御基板が判断することを特徴とする請求項１又は２に記載の弾球遊技機。
【手続補正２】
【補正対象書類名】明細書
【補正対象項目名】０００４
【補正方法】変更
【補正の内容】
【０００４】
そこで、本発明は、広告画像の、一体感、調和感を高めることを可能とする弾球遊技機を提供することを目的とする。
【手続補正３】
【補正対象書類名】明細書
【補正対象項目名】０００５
【補正方法】変更
【補正の内容】
【０００５】
【課題を解決するための手段及び効果】
前記課題を解決するため請求項１に記載の発明は、
遊技盤面上に発射された遊技球が特定の入球口に入球又は特定の通過口を通過するタイミングに基づいて抽出される乱数値に起因して遊技者に有利なゲーム内容とするか否かを決定する当否決定手段と前記当否決定手段による決定毎に、遊技者に有利なゲーム内容に移行するか否かを示す当否画像を表示する当否画像表示手段と、
を含む遊技機であって、
前記当否決定手段を有する遊技制御基板と、
前記当否画像表示手段に表示される当否画像の表示制御を行う図柄制御基板と、
前記遊技制御基板に、
前記当否決定手段により外れと決定された場合、前記タイミングに起因して前記当否画像の変動開始から静止させるまでの変動時間を複数の変動時間の中から決定する変動時間決定手段と、
該決定された変動時間を送信する送信手段と、
前記図柄制御基板に、
前記受信した変動時間に従って一部に広告画像を有する前記当否画像を変動表示し、前記変動時間経過後に前記外れを示す当否画像を静止表示する広告画像表示制御手段と、
を備えたことを特徴とする。
【手続補正４】
【補正対象書類名】明細書
【補正対象項目名】０００６
【補正方法】変更
【補正の内容】
【０００６】
前記構成を有する請求項１に記載の弾球遊技機は、変動表示する当否画像に広告画像を含むので、遊技との一体感、調和感を生じ、遊技者に広告を訴える効果が向上し、前記課題を好適に解決できる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
「広告」には、広告主の氏名若しくは名称、広告に係る商品若しくは役務を表示する標章（文字、図形、記号若しくはこれらの組み合わせ又はこれらと色彩との結合）、商品若しくは役務の説明、キャッチフレーズ等が挙げられる。例えば、液晶等の画面上の特別図柄、背景図柄又はキャラクタ画像等にトラックの画像を動画表示又は静止画表示をし、また、セル画に前記主題と関連するトラックの絵柄若しくは自動車製造者の名称又はそれらの結合等を表示した広告をセル画にデザインする構成が挙げられる。
【手続補正８】
【補正対象書類名】明細書
【補正対象項目名】００１５
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
請求項２に記載の発明は、
前記図柄制御基板に、
広告画像データを含む画像データを記憶する画像記憶手段と、
該画像記憶手段から前記画像データを取得する画像取得手段と、
該画像取得手段により取得されたデータに基づいて、前記広告画像を含む前記当否画像を画面上に表示する前記広告画像表示制御手段と、を備えたことを特徴とする請求項１に記載の弾球遊技機である。
請求項２に記載の発明により、請求項１と同様の課題を達成できる。
【手続補正１１】
【補正対象書類名】明細書
【補正対象項目名】００２０
【補正方法】変更
【補正の内容】
【００２０】
請求項３に記載の発明は、
前記広告画像を表示するか否かを前記図柄制御基板が判断することを特徴とする請求項１又は２に記載の弾球遊技機である。従って、遊技の進行を制御する遊技制御基板の処理の負担を軽減化することができる。
【手続補正１２】
【補正対象書類名】明細書
【補正対象項目名】００２１
【補正方法】削除
【補正の内容】
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
異なる色を表示する４個の副画素、を含む画素、
前記画素にゲート信号を伝達する２本のゲート線、
前記画素にデータ信号を伝達する２本のデータ線、及び、
前記画素に駆動電圧を伝達する駆動電圧線を有する有機発光表示装置。
【請求項２】
前記４個の副画素の各々は、赤色、緑色、青色、及び白色を表示し、前記４個の副画素は２行２列の碁盤模様に配置されている請求項１に記載の有機発光表示装置。
【請求項３】
前記２本のゲート線の一方は第１行の副画素にゲート信号を伝達し、他方は第２行の副画素にゲート信号を伝達する請求項２に記載の有機発光表示装置。
【請求項４】
前記２本のゲート線により伝達されるゲート信号が同一である請求項３に記載の有機発光表示装置。
【請求項５】
前記２本のゲート線の一方は第１行の副画素の下側に形成され他方は第２行の副画素の下側に形成されている、請求項２に記載の有機発光表示装置。
【請求項６】
前記２本のデータ線の一方は第１列の副画素にデータ信号を伝達し、他方は第２列の副画素にデータ信号を伝達する請求項２に記載の有機発光表示装置。
【請求項７】
前記２本のデータ線の一方は第１列の副画素の左側に形成され、他方は第２列の副画素の右側に形成されている請求項２に記載の有機発光表示装置。
【請求項８】
前記駆動電圧線が第１列の副画素と第２列の副画素との間に形成されている請求項２に記載の有機発光表示装置。
【請求項９】
異なる色を表示する第１副画素、第２副画素、第３副画素及び第４副画素を含む画素、
前記画素にゲート信号を伝達するゲート線、
前記画素にデータ信号を伝達するデータ線、
前記画素に駆動電圧を伝達し、前記データ線と実質的に平行に延びている第１駆動電圧線、並びに、
前記第１駆動電圧線に連結され、前記ゲート線と実質的に平行に延びている第２駆動電圧線を有する有機発光表示装置。
【請求項１０】
異なる色を表示する第１副画素、第２副画素、第３副画素及び第４副画素を含む画素、
基板、
前記基板の上に形成され、複数の開口部を含む遮光部材、
前記基板の上に形成され、前記画素にゲート信号を伝達するゲート線、
前記ゲート線と交差し、前記画素にデータ信号を伝達するデータ線、並びに、
前記画素に駆動電圧を伝達し、前記遮光部材と電気的に連結されている駆動電圧線を有する有機発光表示装置。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
画素部を含む薄膜トランジスタ層と、
前記薄膜トランジスタ層上に形成され、第１溝が形成されたカラーフィルタ層と、
前記カラーフィルタ層上に形成され、前記第１溝に対応する少なくとも一つのギャップを定義する画素電極と、
前記隣接する画素電極の間の前記ギャップ内に配置され、前記第１溝及び前記隣接する画素電極の間の前記ギャップをカバーする第１カバー層と、
前記画素電極および前記第１カバー層上に形成された配向膜と、
を含むことを特徴とする表示基板。
【請求項２】
前記薄膜トランジスタ層は、
絶縁基板上に形成されたゲートラインと、
前記ゲートラインと交差して形成されたデータラインと、
前記ゲートラインおよび前記データラインに連結された薄膜トランジスタと、を含み、
前記第１カバー層は、
前記ゲートライン及び前記データラインに対応される制御することができない領域上に形成された第１カバーパターンと、
前記ゲートライン及び前記データラインの間に対応される前記画素部内に形成された第２カバーパターンと、
を含むことを特徴とする請求項１記載の表示基板。
【請求項３】
前記第１カバーパターンは、フラットな形状で、前記第２カバーパターンは、プリズム形状であることを特徴とする請求項２記載の表示基板。
【請求項４】
前記画素電極上の前記第１カバー層は、０．４μｍ〜０．６μｍの高さ及び５μｍ〜８μｍの線幅を有することを特徴とする請求項１記載の表示基板。
【請求項５】
前記カラーフィルタ層は、ジグザグ形状を有し、前記画素電極は、前記カラーフィルタ層と同一の形状を有することを特徴とする請求項１から４のいずれかに記載の表示基板。
【請求項６】
各画素電極は、少なくとも一つの開口部によって分割された複数の領域を含み、前記カラーフィルタ層は、前記開口部に対応して形成された第２溝を含み、前記表示基板は、前記第２溝内に形成され前記開口部を通じて露出された前記カラーフィルタ層をカバーする第２カバー層をさらに含むことを特徴とする請求項１から５のいずれかに記載の表示基板。
【請求項７】
前記第２カバー層は、プリズム形状であることを特徴とする請求項６記載の表示基板。
【請求項８】
前記第１カバー層より高い高さに突出して形成された柱状スペーサをさらに含み、前記第１カバー層および前記柱状スペーサは、同一の物質で形成されることを特徴とする請求項１から７のいずれかに記載の表示基板。
【請求項９】
表示基板と、
前記表示基板と対向して結合された対向基板と、
前記表示基板と前記対向基板との間に配置された液晶層と、を含み、
前記表示基板は、
画素部を含む薄膜トランジスタ層と、
第１溝を含み、前記薄膜トランジスタ層上に形成されたカラーフィルタ層と、
前記カラーフィルタ層上に形成され、前記第１溝に対応する少なくとも一つのギャップを定義する画素電極、
前記画素電極の間の前記ギャップ内に配置され、前記カラーフィルタ層の第１溝及び前記隣接した画素電極の間の前記ギャップをカバーするカバー層と、
前記画素電極と前記カバー層上に形成された第１配向膜と、を含むことを特徴とする表示装置。
【請求項１０】
前記対向基板は、
前記表示基板と向い合う絶縁基板の対向面に形成された共通電極と、
前記共通電極上に形成された第２配向膜と、
を含むことを特徴とする請求項９記載の表示装置。
【手続補正２】
【補正対象書類名】明細書
【補正対象項目名】発明の名称
【補正方法】変更
【補正の内容】
【発明の名称】表示基板及びこれを有する表示装置
【手続補正３】
【補正対象書類名】明細書
【補正対象項目名】０００１
【補正方法】変更
【補正の内容】
【０００１】
本発明は、表示基板及びこれを有する表示装置に関わり、より詳細には、残像などの表示不良を防止しうる表示基板及びこれを有する表示装置に関する。
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】変更
【補正の内容】
【００１１】
本発明の一特徴による表示基板は、薄膜トランジスタ層、カラーフィルタ層、画素電極、第１カバー層、及び配向膜を含む。前記薄膜トランジスタ層は、画素部を含む。前記カラーフィルタ層は、前記薄膜トランジスタ層上に形成され第１溝が形成される。前記画素電極は、前記カラーフィルタ層上に形成され、前記第１溝に対応する少なくとも一つのギャップを定義する。前記第１カバー層は、前記第１溝及び前記隣接する画素電極の間の前記ギャップ内に配置され、前記隣接する画素電極の間の前記ギャップをカバーする。前記配向膜は、前記画素電極と前記第１カバー層上に形成される。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明の一特徴による表示装置は、表示基板、前記表示基板と対向して結合された対向基板、及び前記表示基板と前記対向基板との間に配置された液晶層を含む。表示基板は、薄膜トランジスタ層、カラーフィルタ層、画素電極、少なくとも一つのギャップ、第１カバー層、及び配向膜を含む。前記薄膜トランジスタ層は、マトリクス形状の画素部を含む。前記カラーフィルタ層は、第１溝を含み、前記薄膜トランジスタ層上に形成される。前記画素電極は、前記カラーフィルタ層上に形成される。前記第１溝に対応する少なくとも一つのギャップは、隣接する画素電極の間に配置される。前記カバー層は、前記画素電極の間の前記ギャップ内に配置され、前記カラーフィルタ層の第１溝及び前記隣接した画素電極の間の前記ギャップをカバーする。前記配向膜は、前記画素電極と前記第１カバー層上に形成される。
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
地図出力用の出力データを生成する地図出力装置であって、
出力の対象となる地図データを参照する地図データ参照部と、
出力時における前記地図の回転角の要求値を含む出力条件を入力する出力条件入力部と、
前記出力条件に応じて前記地図データに含まれる文字の配列を制御する文字出力制御部と、
前記文字の制御結果および前記地図データを用いて、前記出力データを生成する出力データ生成部とを有し、
前記文字出力制御部は、前記地図データに格納された複数の文字列のうち、少なくとも一部を関連づけられた文字列として、文字の配列を統一的に制御する地図データ出力装置。
【請求項２】
請求項１記載の地図出力装置であって、
前記文字出力制御部は、前記回転角の要求値と、前記関連づけられた複数の文字列内の文字の向きの代表値となる代表方向とに基づき、前記文字の配列を制御する地図出力装置。
【請求項３】
請求項１記載の地図出力装置であって、
前記文字出力制御部は、
前記回転角の要求値と前記文字列の文字の向きとを比較して、前記文字の配列を制御しており、
前記関連づけられた複数の文字列については、少なくとも一部の文字列について文字の配列を変化させるべき条件が成立する際に、該複数の文字列の配列を統一的に変化させる地図出力装置。
【請求項４】
請求項１記載の地図出力装置であって、
前記出力条件には、地図の出力範囲の指定、および地図の出力範囲を連続的に移動させる移動コマンド、または地図の出力範囲を所定の代表点周りに連続的に回転させる回転コマンドが含まれており、
前記文字出力制御部は、前記出力範囲内の文字列を予め設定された規則に従って関連づけると共に、該関連づけられた複数の文字列内の文字の向きの代表値となる代表方向に基づき、前記移動コマンドまたは回転コマンドに応じて前記文字の配列を制御する地図出力装置。
【請求項５】
請求項４記載の地図出力装置であって、
前記代表方向は、前記移動コマンドまたは回転コマンドが継続的に入力されている期間は、前記関連づけられた文字列に対して相対的に固定される地図出力装置。
【請求項６】
請求項４または５記載の地図出力装置であって、
前記回転コマンドが入力された場合、前記代表方向は、前記代表点を中心とする前記出力範囲の内接円に重なる文字列の文字の向きに基づいて設定される地図出力装置。 
【請求項７】
請求項４〜６いずれか記載の地図出力装置であって、
前記文字出力制御部は、前記移動コマンドが入力された場合と回転コマンドが入力された場合とで、前記代表方向の設定方法を切り換える地図出力装置。 
【請求項８】
代表方向として関連づけられた複数の文字列のいずれかの文字列の方向を用いる請求項２記載の地図出力装置による地図出力に用いられる地図データのデータ構造であって、
地図中に表示すべき複数の文字列を格納する文字列データ格納領域と、
前記複数の文字列の一部を関連づける情報を記録した関連情報格納領域と、
前記関連づけられた文字列の代表方向を表す情報を記録した代表方向情報格納領域と
を備えるデータ構造。
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
ゲート信号線と、
ソース信号線と、
スイッチを介して前記ゲート信号線に接続され、前記ゲート信号線に信号を出力するシフトレジスタ回路と、
前記スイッチのオン、オフを制御する信号が入力される配線と、
前記ゲート信号線及び前記ソース信号線に接続され、前記ゲート信号線が選択されているときに前記ソース信号線から信号が書き込まれる画素と、
前記ソース信号線及び前記配線が接続され、前記ソース信号線からの入力信号が前記画素を非点灯にする信号であり、かつ前記配線からの入力信号が前記スイッチをオンにする信号であるかを検出する検査回路と、
前記検査回路が接続され、前記検査回路からの入力信号に基づき前記ゲート信号線に出力する信号のタイミングを修正する信号修正回路と、
を有することを特徴とする表示装置。
【請求項２】
ゲート信号線と、
ソース信号線と、
第１のスイッチを介して前記ゲート信号線に接続され、前記ゲート信号線に信号を出力する第１のシフトレジスタ回路と、
第２のスイッチを介して前記ゲート信号線に接続され、前記ゲート信号線に信号を出力する第２のシフトレジスタ回路と、
前記ソース信号線に信号を出力する駆動回路と、
前記第１のスイッチのオン、オフを制御する信号が入力される第１の配線と、
前記第２のスイッチのオン、オフを制御する信号が入力される第２の配線と、
前記ゲート信号線及び前記ソース信号線に接続され、前記ゲート信号線が選択されているときに前記ソース信号線から信号が書き込まれる画素と、
前記ソース信号線及び前記第２の配線が接続され、前記ソース信号線からの入力信号が前記画素を非点灯にする信号であり、かつ前記第２の配線からの入力信号が前記第２のスイッチをオンにする信号であるかを検出する検査回路と、
前記検査回路が接続され、前記検査回路からの入力信号に基づき前記ゲート信号線に出力する信号のタイミングを修正する信号修正回路と、
を有することを特徴とする表示装置。
【請求項３】
請求項１又は請求項２において、
前記信号修正回路は複数のバッファ回路を有し、
かつ、前記検査回路からの前記入力信号に基づき、前記ゲート信号線に直列に接続される前記バッファ回路の個数を変化させることを特徴とする表示装置。
【請求項４】
請求項３において、
前記信号修正回路は、前記ゲート信号線に出力される前記信号のタイミングが遅いときには、前記ゲート信号線に直列に接続される前記複数のバッファ回路の個数を正常なときよりも減少することを特徴とする表示装置。
【請求項５】
請求項３において、
前記信号修正回路は、前記ゲート信号線に出力される前記信号のタイミングが早いときには、前記ゲート信号線に直列に接続される前記複数のバッファ回路の個数を正常なときよりも増加することを特徴とする表示装置。
【請求項６】
請求項３乃至５のいずれか一項において、
前記バッファ回路は、複数のインバーターが直列に接続されていることを特徴とする表示装置。
【請求項７】
請求項１又は請求項２において、
前記信号修正回路は第１乃至第３のバッファ回路を有し、
かつ、前記第１のバッファ回路及び前記第２のバッファ回路を介して前記ゲート信号線に前記信号を出力する第１の状態と、前記第１乃至第３のバッファ回路を介して前記ゲート信号線に前記信号を出力する第２の状態と、前記第１のバッファ回路を介して前記ゲート信号線に前記信号を出力する第３の状態と、のいずれか一の状態により、前記ゲート信号線に出力する前記信号の前記タイミングを修正することを特徴とする表示装置。
【請求項８】
請求項１乃至７のいずれか一に記載の表示装置を有することを特徴とする電子機器。
【手続補正２】
【補正対象書類名】明細書
【補正対象項目名】発明の名称
【補正方法】変更
【補正の内容】
【発明の名称】表示装置及び電子機器
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
絶縁表面を有する基板上に設けられたバッファ部、及びロジック部を有する駆動回路と、
前記基板上に設けられ、外部回路から信号を入力するための第１の接続端子、及び第２の接続端子と、
前記バッファ部に電気的に接続され、かつ前記第１の接続端子から伸びた第１の電源線と、
前記ロジック部に電気的に接続され、かつ前記第２の接続端子から伸びた第２の電源線と、を有し、
前記第１の接続端子、及び前記第２の接続端子は同電位となっており、
前記第１の電源線の幅は、前記第２の電源線の幅より広いことを特徴とする半導体装置。
【請求項２】
請求項１において、
前記同電位は接地電位であることを特徴とする半導体装置。
【請求項３】
請求項１又は請求項２において、
前記第１の電源線の幅は、前記第２の電源線の幅の２倍から５倍であることを特徴とする半導体装置。
【請求項４】
絶縁表面を有する基板上に設けられたたバッファ部、及びロジック部を有する駆動回路と、
前記基板上に設けられ、外部回路から信号を入力するための接続端子と、
前記接続端子から前記ロジック部まで伸び、かつ前記接続端子から前記電源線の長さの３／５までの位置で分岐された電源線と、を有し、
前記分岐された電源線の一方は前記バッファ部に電気的に接続され、
前記分岐された電源線の他方は前記ロジック部に電気的に接続されていることを特徴とする半導体装置。
【請求項５】
絶縁表面を有する基板上に設けられたたバッファ部、及びロジック部を有する駆動回路と、
前記基板上に設けられ、外部回路から信号を入力するための接続端子と、
前記接続端子から前記ロジック部まで伸び、かつ前記接続端子から前記電源線の長さの３／５までの位置で分岐された電源線と、を有し、
前記分岐された電源線の一方は前記バッファ部に電気的に接続され、
前記分岐された電源線の他方は前記ロジック部に電気的に接続され、
前記分岐された電源線の一方の電源線の幅は、前記分岐された電源線の他方の電源線の幅より広いことを特徴とする半導体装置。
【請求項６】
請求項５において、
前記分岐された電源線の一方の電源線の幅は、前記分岐された電源線の他方の電源線の幅の２倍から５倍であることを特徴とする半導体装置。
【請求項７】
請求項４乃至請求項６のいずれか１項において、
前記電源線は、前記接続端子から前記電源線の長さの１／３までの位置で分岐されていることを特徴とする半導体装置。
【請求項８】
請求項１乃至請求項７のいずれか１項において、
前記駆動回路により線順次方式の駆動が行われることを特徴とする半導体装置。
【請求項９】
請求項１乃至請求項８のいずれか１項において、
前記ロジック部はラッチ回路、及びシフトレジスタ回路を有することを特徴とする半導体
装置。
【請求項１０】
請求項１乃至請求項９のいずれか１項において、
前記バッファ部はレベルシフタ回路、及びバッファ回路を有することを特徴とする半導体
装置。
【請求項１１】
請求項１乃至請求項１０のいずれか１項において、
半導体装置は自発光素子を有する表示装置、又は液晶素子を有する表示装置であることを
特徴とする半導体装置。
【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
空間光変調素子及び凸レンズ光学系を有し、前記空間光変調素子上の各点からの拡散光束を前記凸レンズ光学系を介して平行光束として観察者に向けて出射する無限遠視表示部を複数備え、
前記各無限遠視表示部は、前記凸レンズ光学系の前記観察者に対向する前面側のレンズ面の周縁同士を略々密接させて並列的に配列されており、それぞれが観察者に向けて前記凸レンズ光学系を介した平行光束を出射し、異なる空間光変調素子において互いに対応する箇所からの光束は、異なる凸レンズ光学系を経て、互いに平行に出射される
ことを特徴とする無限遠視表示装置。
【請求項２】
星像原板及び凸レンズ光学系を有し、前記星像原板上の各点からの拡散光束を前記凸レンズ光学系を介して平行光束として観察者に向けて出射する無限遠視表示部を複数備え、
前記各無限遠視表示部は、観察室内の少なくとも天井部において、前記凸レンズ光学系の前記観察者に対向する前面側のレンズ面の周縁同士を略々密接させて略々ドーム状をなして配列されており、それぞれが該観察室内方に向けて前記凸レンズ光学系を介した平行光束を出射し、異なる星像原板において互いに対応する星像からの光束は、異なる凸レンズ光学系を経て、互いに平行に出射される
ことを特徴とする無限遠視プラネタリウム装置。
【請求項３】
前記星像原板は、空間光変調素子である
ことを特徴とする請求項２記載の無限遠視プラネタリウム装置。
【手続補正２】
【補正対象書類名】明細書
【補正対象項目名】００１４
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
発光素子と、トランジスタと、電位制御回路とを有し、
前記発光素子は、電子放出素子と、引き出しゲート電極と、発光材料が設けられた電極とを有し、
前記電位制御回路は、前記トランジスタのゲート電位に応じて、前記引き出しゲート電極の電位を制御する機能を有することを特徴とする表示装置。
【請求項２】
発光素子と、トランジスタと、電位制御回路とを有し、
前記発光素子は、電子放出素子と、引き出しゲート電極と、発光材料が設けられた電極とを有し、
前記トランジスタのゲートは、前記電位制御回路の第１の端子に電気的に接続されており、
前記トランジスタのソース又はドレインの一方は、前記電子放出素子に電気的に接続されており、
前記トランジスタのソース又はドレインの他方は、配線に電気的に接続されており、
前記電位制御回路の第２の端子は、前記引き出しゲート電極に電気的に接続されており、
前記電位制御回路は、前記トランジスタのゲート電位に応じて、前記引き出しゲート電極の電位を制御する機能を有することを特徴とする表示装置。
【請求項３】
発光素子と、第１のトランジスタと、電位制御回路とを有し、
前記発光素子は、電子放出素子と、引き出しゲート電極と、発光材料が設けられた電極とを有し、
前記電位制御回路は、第２のトランジスタと、第３のトランジスタと、抵抗素子とを有し、
前記第１のトランジスタのゲートは、前記第２のトランジスタのゲートと電気的に接続されており、
前記第１のトランジスタのソース又はドレインの一方は、前記電子放出素子に電気的に接続されており、
前記第１のトランジスタのソース又はドレインの他方は、第１の配線に電気的に接続されており、
前記第２のトランジスタのソース又はドレインの一方は、前記抵抗素子を介して前記引き出しゲート電極に電気的に接続されており、
前記第２のトランジスタのソース又はドレインの他方は、第２の配線に電気的に接続されており、
前記第３のトランジスタのゲートは第３の配線に電気的に接続されており、
前記第３のトランジスタのソース又はドレインの一方は、前記引き出しゲート電極に電気的に接続されており、
前記第３のトランジスタのソース又はドレインの他方は、第３の配線に電気的に接続されており、
前記電位制御回路は、前記第１のトランジスタのゲート電位に応じて、前記引き出しゲート電極の電位を制御する機能を有することを特徴とする表示装置。
【請求項４】
請求項３において、
前記第２のトランジスタと、前記第３のトランジスタとは、同一の極性であることを特徴とする表示装置。
【請求項５】
請求項１乃至請求項３のいずれか一において、
前記ゲート電位の制御するスイッチ素子を有することを特徴とする表示装置。
【請求項６】
請求項１乃至請求項４のいずれか一において、
前記電子放出素子は、スピント型電界電子放出素子、カーボンナノチューブ型電界電子放出素子、表面伝導型電界電子放出素子、又はホットエレクトロン型電界電子放出素子であることを特徴とする表示装置。
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
第１の絶縁基板と、
前記第１の絶縁基板上で、表面に凹凸形状を有する第１の絶縁層と、
前記第１の絶縁層上の光反射性の共通電極と、
前記共通電極上の第２の絶縁層と、
前記第２の絶縁層上の画素電極と、
前記画素電極上の液晶層と、
前記液晶層上の第２の絶縁基板と、
を有し、
前記共通電極の表面は、前記凹凸形状に沿う形状を有することを特徴とする液晶表示装置。
【請求項２】
第１の絶縁基板と、
前記第１の絶縁基板上で、表面に凹凸形状を有する第１の絶縁層と、
前記第１の絶縁層上の光反射性の共通電極と、
前記共通電極上の第２の絶縁層と、
前記第２の絶縁層上の画素電極と、
前記画素電極上の液晶層と、
前記液晶層上の第２の絶縁基板と、
を有し、
前記共通電極の表面は、前記凹凸形状に沿う形状を有し、
前記第２の絶縁層の表面は、前記凹凸形状に沿う形状を有し、
前記画素電極の表面は、前記凹凸形状に沿う形状を有することを特徴とする液晶表示装置。
【請求項３】
第１の絶縁基板と、
前記第１の絶縁基板上で、表面に凹凸形状を有する第１の絶縁層と、
前記第１の絶縁層上の光反射性の共通電極と、
前記共通電極上の第２の絶縁層と、
前記第２の絶縁層上の画素電極と、
前記画素電極上の液晶層と、
前記液晶層上の第２の絶縁基板と、
を有し、
前記共通電極の表面は、前記凹凸形状に沿う形状を有し、
前記第２の絶縁層は、平坦化膜であることを特徴とする液晶表示装置。
【請求項４】
第１の絶縁基板と、
前記第１の絶縁基板上の共通電極と、
前記共通電極上の第１の絶縁層と、
前記第１の絶縁層上の画素電極と、
前記画素電極上の液晶層と、
前記液晶層上の第２の絶縁層と、
前記第２の絶縁層に接する対向電極と、
前記対向電極に接する第３の絶縁層と、
前記第３の絶縁層上の第２の絶縁基板と、
を有し、
前記第３の絶縁層は、前記対向電極と接する表面に凹凸形状を有し、
前記対向電極は、前記第２の絶縁層と接する表面に、前記凹凸形状に沿う形状を有することを特徴とする液晶表示装置。
【請求項５】
第１の絶縁基板と、
前記第１の絶縁基板上の共通電極と、
前記共通電極上の第１の絶縁層と、
前記第１の絶縁層上の画素電極と、
前記画素電極上の液晶層と、
前記液晶層上の第２の絶縁基板と、
前記第２の絶縁基板上の第２の絶縁層と、
前記第２の絶縁膜上の対向電極と、
を有し、
前記第２の絶縁層の表面は、凹凸形状を有し、
前記対向電極は、前記凹凸形状に沿う形状を有することを特徴とする液晶表示装置。
【請求項６】
第１の絶縁基板と、
前記第１の絶縁基板上で、表面に凹凸形状を有する第１の絶縁層と、
前記第１の絶縁層上の透光性の共通電極と、
前記共通電極上に選択的に形成された反射電極と、
前記共通電極、および前記反射電極上の第２の絶縁層と、
前記第２の絶縁層上の画素電極と、
前記画素電極上の液晶層と、
前記液晶層上の第２の絶縁基板と、
を有し、
前記共通電極の表面は、前記凹凸形状に沿う形状を有し、
前記反射電極の表面は、前記凹凸形状に沿う形状を有することを特徴とする液晶表示装置。
【請求項７】
第１の絶縁基板と、
前記第１の絶縁基板上で、表面に凹凸形状を有する第１の絶縁層と、
前記第１の絶縁層上に選択的に形成された反射電極と、
前記反射電極上の第２の絶縁層と、
前記第２の絶縁層上の透光性の共通電極と、
前記共通電極上の第３の絶縁層と、
前記第３の絶縁層上の画素電極と、
前記画素電極上の液晶層と、
前記液晶層上の第２の絶縁基板と、
を有し、
前記第１の絶縁層の表面は、凹凸形状を有し、
前記反射電極の表面は、前記凹凸形状に沿う形状を有することを特徴とする液晶表示装置。
【請求項８】
請求項２において、前記第２の絶縁膜と前記画素電極の間に、第３の絶縁膜を有することを特徴とする液晶表示装置。
【請求項９】
請求項２または請求項８において、前記第２の絶縁膜は有機材料からなり、前記第３の絶縁膜は無機材料からなることを特徴とする液晶表示装置。
【請求項１０】
請求項４または請求項５において、前記対向電極は、光反射性の電極であることを特徴とする液晶表示装置。
【請求項１１】
請求項４、請求項５、および請求項１０のいずれか一において、前記共通電極は、透光性の電極であることを特徴とする液晶表示装置。
【請求項１２】
請求項１乃至請求項３、請求項６、および請求項７乃至請求項９のいずれか一において、前記共通電極は、タンタル、タングステン、チタン、モリブデン、アルミニウム、クロム、または銀から選ばれた元素、または前記元素を主成分とする合金材料からなることを特徴とする液晶表示装置。
【請求項１３】
請求項１乃至請求項３、請求項６、および請求項７乃至請求項９のいずれか一において、前記画素電極は、光反射性の電極であることを特徴とする液晶表示装置。
【請求項１４】
請求項１乃至請求項１２のいずれか一において、前記画素電極は、透光性の電極であることを特徴とする液晶表示装置。
【請求項１５】
請求項１４において、前記画素電極はＩＴＯでなることを特徴とする液晶表示装置。
【請求項１６】
請求項１乃至請求項１５のいずれか一において、前記画素電極にはトランジスタが接続されていることを特徴とする液晶表示装置。
【請求項１７】
請求項１乃至請求項１６のいずれか一において、上面からみた前記画素電極の形状は矩形状を有することを特徴とする液晶表示装置。
【請求項１８】
請求項１乃至請求項１７のいずれか一において、前記画素電極の幅は、１０μｍ乃至１５μｍであることを特徴とする液晶表示装置。
【請求項１９】
請求項１乃至請求項１８のいずれか一において、前記画素電極は選択的に形成されることを特徴とする液晶表示装置。
【請求項２０】
請求項１乃至請求項１９のいずれか一において、前記凹凸形状の凸部の高さは、０．１μｍ乃至１μｍ、凸部の間隔は５乃至１０μｍであることを特徴とする液晶表示装置。
【請求項２１】
請求項１乃至請求項２０のいずれか一において、前記液晶表示装置は、テレビ、携帯型のテレビジョン装置、デジタルカメラ、デジタルビデオカメラ、携帯電話機、携帯情報端末、携帯型ゲーム機、モニター、コンピュータ、カーオーディオ、または記録媒体を備えた画像再生装置のいずれか一に用いられることを特徴とする液晶表示装置。
【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
第１電極及び第２電極を備えた発光素子及び前記発光素子を駆動するトランジスタが複数の副画素のそれぞれに設けられた画素と、前記発光素子と同一の構造を有し、第１電極及び第２電極を備えるモニター素子と、前記モニター素子に一定の電流を供給する電流源と、バッファアンプと、を有し、
前記モニター素子の第２電極及び前記発光素子の第２電極は接地電位に接続され、
前記モニター素子の第１電極は、前記電流源および前記バッファアンプの入力端子と接続され、
前記発光素子の第１電極は、前記トランジスタを介して前記バッファアンプの出力端子と接続され、
複数の前記発光素子は、面積が前記副画素毎に異なり、
前記モニター素子の面積は、前記発光素子のいずれか一つの面積と略々等しいことを特徴とする表示装置。
【請求項２】
第１電極及び第２電極を備えた発光素子及び前記発光素子を駆動するトランジスタが複数の副画素のそれぞれに設けられた画素と、前記発光素子と同一の構造を有し、第１電極及び第２電極を備えるモニター素子と、前記モニター素子に一定の電流を供給する電流源と、前記モニター素子の第１電極の電位を保持する容量素子と、前記容量素子と前記電流源とを導通又は非導通にする第１のスイッチと、前記電流源と前記モニター素子とを導通又は非導通にする第２のスイッチと、バッファアンプと、を有し、
前記モニター素子の第２電極及び前記発光素子の第２電極は接地電位に接続され、
前記モニター素子の第１電極は、前記第２のスイッチを介して前記電流源と接続され、かつ、前記第１のスイッチを介して前記バッファアンプの入力端子と接続され、
前記発光素子の第１電極は、前記トランジスタを介して前記バッファアンプの出力端子と接続され、
複数の前記発光素子は、面積が前記副画素毎に異なり、
前記モニター素子の面積は、前記発光素子のいずれか一つの面積と略々等しいことを特徴とする表示装置。
【請求項３】
第１電極及び第２電極を備えた発光素子及び前記発光素子を駆動するトランジスタが複数の副画素のそれぞれに設けられた画素と、前記発光素子と同一の構造を有し、第１電極及び第２電極を備える第１および第２のモニター素子と、前記モニター素子に一定の電流を供給する電流源と、前記電流源と前記第１および第２のモニター素子とを導通又は非導通にする第１および第２のスイッチと、バッファアンプと、を有し、
前記第１および第２のモニター素子の第２電極及び前記発光素子の第２電極は接地電位に接続され、
前記第１および第２のモニター素子の第１電極は、それぞれ前記第１および第２のスイッチを介して前記電流源および前記バッファアンプの入力端子と接続され、
前記発光素子の第１電極は、前記トランジスタを介して前記バッファアンプの出力端子と接続され、
複数の前記発光素子は、面積が前記副画素毎に異なり、
前記第１および第２のモニター素子の面積は、前記発光素子のいずれか一つの面積と略々等しいことを特徴とする表示装置。
【請求項４】
請求項１乃至３のいずれか一つに記載された表示装置において、
複数の前記発光素子は、前記副画素の面積の関係が等比２の等比数列の関係を有していることを特徴とする表示装置。
【請求項５】
請求項１乃至３のいずれか一つに記載された表示装置において、
前記モニター素子の面積は、前記発光素子のうち、最も小さい発光素子の面積と略々等しいことを特徴とする表示装置。
【請求項６】
請求項２に記載の表示装置において、前記表示装置が表示を行っている期間の内の所定の期間にのみ前記モニター素子に電流が流れるように前記スイッチを制御することを特徴とする表示装置。
【請求項７】
請求項３に記載の表示装置において、前記第１および第２のモニター素子に交互に電流が流れるように前記第１および第２のスイッチを制御することを特徴とする表示装置。
【請求項８】
請求項１乃至７のいずれか一つに記載の表示装置を表示部に有することを特徴とする電子機器。
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
複数の項目に対して予め設定された設定情報の少なくとも１つを変更する変更手段と、
変更された設定情報を、変更されていない設定情報よりも先に音声出力すると共に、変更された設定情報と、変更されていない設定情報とを識別可能となるように音声出力する音声出力手段とを備える情報処理装置。
【請求項２】
複数の項目に対して予め設定された設定情報の少なくとも１つを変更する変更手段と、
設定情報が変更された項目と変更した順序とを対応付けて記憶する記憶手段と、
前記順序に沿って、変更された設定情報を音声出力した後、変更されていない設定情報を音声出力すると共に、変更された設定情報と、変更されていない設定情報とを識別可能となるように音声出力する音声出力手段とを備える情報処理装置。
【請求項３】
複数の項目に対して予め設定された設定情報の少なくとも１つを変更する変更手段と、
各々の項目に対して過去に変更された頻度を設定履歴として記憶する記憶手段と、
設定情報が変更され、前記設定履歴が閾値以上である項目の設定情報、設定情報が変更されず、前記設定履歴が閾値以上である項目の設定情報、設定情報が変更され、前記設定履歴が閾値未満である項目の設定情報、設定情報が変更されず、前記設定履歴が閾値未満である項目の設定情報の順に音声出力する音声出力手段とを備える情報処理装置。
【請求項４】
前記音声出力手段は、変更された設定情報を音声出力し終えてから、変更されていない設定情報を音声出力する前に、効果音を出力することで、識別可能とすることを特徴とする請求項１または請求項２に記載の情報処理装置。
【請求項５】
前記音声出力手段は、変更された設定情報を音声出力し終えてから、変更されていない設定情報を音声出力する前に、音声ガイダンスを出力することで、識別可能とすることを特徴とする請求項１または請求項２に記載の情報処理装置。
【請求項６】
前記音声出力手段は、変更された設定情報を音声出力する場合と、変更されていない設定情報を音声出力する場合とで、話者を変更することによって識別可能とすることを特徴とする請求項１または請求項２に記載の情報処理装置。
【請求項７】
前記音声出力手段は、変更された設定情報を音声出力する場合と、変更されていない設定情報を音声出力する場合とで、発声速度を変更することによって識別可能とすることを特徴とする請求項１または請求項２に記載の情報処理装置。
【請求項８】
前記音声出力手段は、変更された設定情報を音声出力する場合と、変更されていない設定情報を音声出力する場合とで、声の高さを変更することによって識別可能とすることを特徴とする請求項１または請求項２に記載の情報処理装置。
【請求項９】
前記音声出力手段は、変更された設定情報を音声出力する場合と、変更されていない設定情報を音声出力する場合とで、音量を変更することによって識別可能とすることを特徴とする請求項１または請求項２に記載の情報処理装置。
【請求項１０】
前記音声出力手段は、変更された設定情報を音声出力する場合には、項目と設定情報とを音声出力し、変更されていない設定情報を音声出力する場合には、設定情報のみを音声出力することによって識別可能とすることを特徴とする請求項１または請求項２に記載の情報処理装置。
【請求項１１】
前記音声出力手段は、変更された設定情報を音声出力する場合と、変更されていない設定情報を音声出力する場合とで、ＢＧＭを変更することによって識別可能とすることを特徴とする請求項１または請求項２に記載の情報処理装置。
【請求項１２】
前記音声出力手段は複数の音源を有し、当該音声出力手段は、変更された設定情報を音声出力する場合と、変更されていない設定情報を音声出力する場合とで、前記音源を変更することによって識別可能とすることを特徴とする請求項１または請求項２に記載の情報処理装置。
【請求項１３】
複数の項目に対して予め設定された設定情報の少なくとも１つを変更する変更工程と、
変更された設定情報を、変更されていない設定情報よりも先に音声出力すると共に、変更された設定情報と、変更されていない設定情報とを識別可能となるように音声出力する音声出力工程とを備える情報処理方法。
【請求項１４】
複数の項目に対して予め設定された設定情報の少なくとも１つを変更する変更工程と、
設定情報が変更された項目と変更した順序とを対応付けて記憶する記憶工程と、
前記順序に沿って、変更された設定情報を音声出力した後、変更されていない設定情報を音声出力すると共に、変更された設定情報と、変更されていない設定情報とを識別可能となるように音声出力する音声出力工程とを備える情報処理方法。
【請求項１５】
複数の項目に対して予め設定された設定情報の少なくとも１つを変更する変更工程と、
各々の項目に対して過去に変更された頻度を設定履歴として記憶する記憶工程と、
設定情報が変更され、前記設定履歴が閾値以上である項目の設定情報、設定情報が変更されず、前記設定履歴が閾値以上である項目の設定情報、設定情報が変更され、前記設定履歴が閾値未満である項目の設定情報、設定情報が変更されず、前記設定履歴が閾値未満である項目の設定情報の順に音声出力する音声出力工程とを備える情報処理方法。
【請求項１６】
請求項１３乃至請求項１５のいずれか１項に記載の情報処理方法をコンピュータに実行させるためのプログラム。
【請求項１７】
請求項１６に記載のプログラムを格納したコンピュータ読み取り可能な記憶媒体。